(57)【要約】【課題】見栄えがよく、かつ、太陽光による劣化に耐えることができるバンド体を提供する。【解決手段】バンド体２は、合成樹脂製であって、帯状に形成されている。このバンド体２は、バンド本体２ａと着色層２ｂとを備える。バンド本体２ａは、耐候性を有する合成樹脂、例えば、カーボンブラックを含有する合成樹脂からなる。着色層２ｂは、バンド本体２ａとは異なる色の合成樹脂からなって、バンド本体２ａの少なくとも一方の面２ｃと両方の側面２ｄ、２ｄを被う。【選択図】  図２
2018044588.tif 000002
【特許請求の範囲】
【請求項１】
帯状に形成された合成樹脂製のバンド体であって、
耐候性を有する合成樹脂からなるバンド本体と、そのバンド本体の少なくとも一方の面と両方の側面を被い、かつ、前記バンド本体とは異なる色の合成樹脂からなる着色層とを備える、バンド体。
【請求項２】
帯状に形成された合成樹脂製のバンド体であって、
カーボンブラックを含有する合成樹脂からなるバンド本体と、そのバンド本体の一方の面と両方の側面のみを被い、かつ、前記バンド本体とは異なる色の合成樹脂からなる着色層とを備える、バンド体。
【請求項３】
請求項１または２に記載のバンド体と、留め具およびカバー体を備える、結束具であって、
前記留め具は、耐候性を有する合成樹脂からなる留め具本体を備え、
前記留め具本体は、前記バンド体が通される通し孔を有し、また、
前記留め具は、前記通し孔に通された前記バンド体を係止する係止爪を有し、
前記カバー体は、前記バンド体の着色層と同色に形成され、前記バンド体を前記係止爪で係止した前記留め具を被うように、その留め具に組付け可能である、結束具。
【請求項４】
前記カバー体には、そのカバー体の内側にコーキング剤を充填可能な通孔、または、打ち抜かれることで前記通孔が形成されるノックアウト部が、設けられている、請求項３に記載の結束具。
【請求項５】
前記バンド体と前記留め具とは、前記バンド体の一端が前記留め具から延び出るようにして一体に形成され、前記バンド体は、前記一端とは反対の他端から前記通し孔に通される、請求項３または４に記載の結束具。
【発明の詳細な説明】
【技術分野】
【０００１】
この発明は、管材等を結束したりボックス等を固定したりするためのバンド体および結束具に関するものである。
【背景技術】
【０００２】
従来、管材とかケーブルとかを結束するための合成樹脂製の結束バンドがあった（例えば、特許文献１参照）。この種の結束バンドは、屋外使用のものは、太陽光による合成樹脂の劣化を防止するために、耐候性に優れるカーボンブラックを含有した合成樹脂により形成されるのが一般的であった。
【先行技術文献】
【特許文献】
【０００３】
【特許文献１】特開２０１５−９８１４号公報
【発明の概要】
【発明が解決しようとする課題】
【０００４】
ところで、前記従来の結束バンドにあっては、カーボンブラックを含有するため、結束バンドの色が黒色に限られ、見栄えがよくなかった。
【０００５】
この発明は、上記した従来の欠点を解決するためになされたものであり、その目的とするところは、見栄えがよく、かつ、太陽光による劣化に耐えることができる、バンド体および結束具を提供することにある。
【課題を解決するための手段】
【０００６】
この発明に係るバンド体および結束具は、前記目的を達成するために、次の構成からなる。すなわち、
請求項１に記載の発明に係るバンド体は、帯状に形成された合成樹脂製のバンド体である。このバンド体は、耐候性を有する合成樹脂からなるバンド本体と、そのバンド本体の少なくとも一方の面と両方の側面を被い、かつ、前記バンド本体とは異なる色の合成樹脂からなる着色層とを備える。
【０００７】
このバンド体によると、着色層が、バンド本体の少なくとも一方の面と両方の側面を被っている。このため、このバンド体を、着色層のある側を表側にして使用することで、見栄えがよい。そして、バンド本体は、耐候性を有する合成樹脂からなることから、着色層が太陽光により劣化しても、バンド本体は、劣化しにくい。このため、バンド体として、太陽光による劣化に耐えることができる。
【０００８】
また、請求項２に記載の発明に係るバンド体は、帯状に形成された合成樹脂製のバンド体である。このバンド体は、カーボンブラックを含有する合成樹脂からなるバンド本体と、そのバンド本体の一方の面と両方の側面のみを被い、かつ、前記バンド本体とは異なる色の合成樹脂からなる着色層とを備える。
【０００９】
このバンド体によると、着色層が、バンド本体の一方の面と両方の側面を被っている。このため、このバンド体を、着色層のある側を表側にして使用することで、見栄えがよい。そして、バンド本体は、カーボンブラックを含有する合成樹脂からなることから、着色層が太陽光により劣化しても、バンド本体は、劣化しにくい。このため、バンド体として、太陽光による劣化に耐えることができる。
【００１０】
また、請求項３に記載の発明に係る結束具は、請求項１または２に記載のバンド体と、留め具およびカバー体を備える。ここで、前記留め具は、耐候性を有する合成樹脂からなる留め具本体を備える。この留め具本体は、前記バンド体が通される通し孔を有する。また、前記留め具は、前記通し孔に通された前記バンド体を係止する係止爪を有する。そして、前記カバー体は、前記バンド体の着色層と同色に形成され、前記バンド体を前記係止爪で係止した前記留め具を被うように、その留め具に組付け可能である。
【００１１】
この結束具によると、バンド体の着色層と同色のカバー体が、留め具を被うため、バンド体ならびに留め具およびカバー体を含めた結束具として、見栄えがよい。そして、留め具本体は、耐候性を有する合成樹脂またはカーボンブラックを含有する合成樹脂からなることから、カバー体が太陽光により劣化しても、留め具本体は、劣化しにくい。このため、バンド体ならびに留め具およびカバー体を含めた結束具として、太陽光による劣化に耐えることができる。
【００１２】
また、請求項４に記載の発明に係る結束具は、請求項３に記載の結束具において、前記カバー体には、そのカバー体の内側にコーキング剤を充填可能な通孔、または、打ち抜かれることで前記通孔が形成されるノックアウト部が、設けられている。こうして、カバー体に設けられる通孔、あるいは、ノックアウト部を打ち抜くことで形成される通孔から、カバー体の内側にコーキング剤を充填すれば、留め具とカバー体とが一体化する。
【００１３】
また、請求項５に記載の発明に係る結束具は、請求項３または４に記載の結束具において、前記バンド体と前記留め具とは、前記バンド体の一端が前記留め具から延び出るようにして一体に形成され、前記バンド体は、前記一端とは反対の他端から前記通し孔に通される。
【発明の効果】
【００１４】
この発明に係るバンド体および結束具によれば、次の効果がある。
【００１５】
請求項１に記載されたバンド体によれば、耐候性を有するバンド本体を、着色層が被うことで、見栄えがよく、かつ、太陽光による劣化に耐えることができる。
【００１６】
また、請求項２に記載されたバンド体によれば、カーボンブラックを含有するバンド本体を、着色層が被うことで、見栄えがよく、かつ、太陽光による劣化に耐えることができる。
【００１７】
また、請求項３〜５に記載された結束具によれば、加えて、耐候性を有する留め具本体を備える留め具を、バンド体の着色層と同色のカバー体が被うことで、見栄えがよく、かつ、太陽光による劣化に耐えることができる。
【図面の簡単な説明】
【００１８】
【図１】この発明の一実施の形態の、波付管を結束した状態の、縦断面図である。
【図２】同じく、図１における、一部を破断したＡ矢視図である。
【図３】同じく、結束バンドの拡大正面図である。
【図４】同じく、結束バンドの底面図である。
【図５】同じく、留め具の拡大縦断面図である。
【図６】同じく、カバー体の拡大平面図である。
【図７】同じく、図６におけるＢ−Ｂ線による断面図である。
【図８】同じく、図６におけるＣ−Ｃ線による断面図である。
【発明を実施するための形態】
【００１９】
以下、この発明に係るバンド体および結束具を実施するための形態を図面に基づいて説明する。
【００２０】
図１〜図８は、本発明の一実施の形態を示す。図中符号１は、長手方向に山部と谷部とが交互に連続する波付管を示す。２は、帯状に形成された合成樹脂製のバンド体を示す。３は、前記バンド体２を係止する留め具を示す。６は、前記留め具３を被うように組み付けられるカバー体を示す。７は、結束具を示し、この結束具７は、前記バンド体２と、前記留め具３および前記カバー体６を備える。
【００２１】
バンド体２は、図３および図４に示すように、バンド本体２ａと着色層２ｂとを備える。ここで、バンド本体２ａは、耐候性を有する合成樹脂からなる。そして、着色層２ｂは、バンド本体２ａの少なくとも一方の面（詳しくは、帯状のバンド面）２ｃと両方の側面２ｄ、２ｄを被い、かつ、バンド本体２ａとは異なる色の合成樹脂からなっている。ここにおいて、バンド体２の強度を経年的に維持するため、バンド本体２ａの厚さを十分確保するのがよく、そのため、着色層２ｂの厚さは、バンド本体２ａが透けて見えない程度（例えば、０．２〜０．４ｍｍ程度）に薄くするのがよい。
【００２２】
詳細には、バンド本体２ａは、カーボンブラックを含有する合成樹脂からなり、この合成樹脂は、カーボンブラックを含有することで、耐候性を有する。そして、着色層２ｂは、バンド本体２ａの一方の面２ｃと両方の側面２ｄ、２ｄのみを被う。すなわち、バンド本体２ａは、他方の面（詳しくは、帯状のバンド面）２ｅが露出し、それ以外の面が、着色層２ｂによって被われる。
【００２３】
また、バンド体２は、バンド本体２ａと着色層２ｂとが樹脂成形により一体に形成されている。このバンド体２は、板状かつ長尺状に延びて形成されている。そして、バンド体２は、その両方の面において、幅方向の両端に、その両端に沿って延びる突出部２ｆが設けられている。バンド本体２ａにおいても、同様に、板状かつ長尺状に延びて形成され、その両方の面２ｃ、２ｅにおいて、幅方向の両端に、その両端に沿って延びる突部２ｇが設けられている。そこで、着色層２ｂは、バンド本体２ａの、突部２ｇを含めた一方の面２ｃと、そのバンド本体２ａの両方の側面２ｄ、２ｄを被っている。
【００２４】
留め具３は、図５に示すように、留め具本体４を備え、その留め具本体４は、耐候性を有する合成樹脂からなっている。詳細には、留め具本体４は、カーボンブラックを含有する合成樹脂からなり、この合成樹脂は、カーボンブラックを含有することで、耐候性を有する。そして、留め具本体４は、バンド体２が通される通し孔４ａを有する。
【００２５】
また、留め具３は、前記通し孔４ａに通されたバンド体２を係止する係止爪３ａを有する。図示実施の形態においては、留め具３は、前記留め具本体４と、金属製の爪部材５とを備える。そして、この爪部材５に、前記係止爪３ａが設けられる。
【００２６】
詳細には、留め具本体４においては、通し孔４ａが、中央に隔壁４ｂを残すようにして、両側にあけられ、さらに、その外側に、爪部材５が取り付けられる取付孔４ｃがあけられている。そして、通し孔４ａと取付孔４ｃとの間は、上部に設けられた連通部４ｄによって通じている。また、取付孔４ｃには、爪部材５の後述する係合片５ｂと係合する係合部４ｅが設けられている。
【００２７】
爪部材５は、例えば金属製の板材からなり、留め具本体４の取付孔４ｃに挿入される基部５ａと、その基部５ａから延びる係止爪３ａとを有する。そこで、基部５ａには、係合片５ｂが設けられ、その係合片５ｂが、留め具本体４の係合部４ｅと係合することで、爪部材５は、留め具本体４に取り付けられる。そして、係止爪３ａは、連通部４ｄを通って通し孔４ａに達するように斜めに延びる。
【００２８】
そこで、バンド体２を、波付管１、１に回し、その各端を、留め具３（詳しくは、留め具本体４）の通し孔４ａに通すことで、波付管１、１を結束することができる（図１、図２参照）。この際、留め具３から飛び出るバンド体２の不要部分を切除することで、後述するカバー体６を留め具３にかぶせることができる。
【００２９】
カバー体６を、図６〜図８に示す。このカバー体６は、バンド体２の着色層２ｂと同色に形成され、バンド体２を前記係止爪３ａで係止した留め具３を被うように、その留め具３に組付け可能となっている（図１、図２参照）。そして、カバー体６には、そのカバー体６の内側にコーキング剤を充填可能な通孔、または、打ち抜かれることで前記通孔が形成されるノックアウト部６ａが、設けられている。
【００３０】
詳細には、カバー体６は、バンド体２の着色層２ｂと同色の合成樹脂からなる。このカバー体６は、下方が開口する箱状に形成されて、その開口側から留め具３にかぶせられる。そして、このカバー体６の頂壁６ｃに、前記ノックアウト部６ａが設けられる。このノックアウト部は、例えば円形形状をし、周囲が薄肉に形成されることで、その内側が容易に打ち抜き可能となっている。また、カバー体６には、その下端に、内側に突出する爪６ｄが設けられている。そこで、この爪６ｄが、留め具本体４（図示実施の形態においては、留め具本体４の下端）に係合することで、カバー体６は、留め具３に対して抜け止めされる。
【００３１】
次に、以上の構成からなるバンド体２および結束具７の作用効果について説明する。このバンド体２によると、着色層２ｂが、バンド本体２ａの少なくとも一方の面２ｃと両方の側面２ｄ、２ｄ（図示実施の形態においては、バンド本体２ａの一方の面２ｃと両方の側面２ｄ、２ｄ）を被っている。このため、このバンド体２を、着色層２ｂのある側を表側にして使用することで、見栄えがよい。そして、バンド本体２ａは、耐候性を有する合成樹脂（図示実施の形態においては、カーボンブラックを含有する合成樹脂）からなることから、着色層２ｂが太陽光により劣化しても、バンド本体２ａは、劣化しにくい。このため、バンド体２として、太陽光による劣化に耐えることができる。
【００３２】
すなわち、耐候性を有するバンド本体２ａ（図示実施の形態においては、カーボンブラックを含有するバンド本体２ａ）を、着色層２ｂが被うことで、見栄えがよく、かつ、太陽光による劣化に耐えることができる。
【００３３】
また、結束具７によると、バンド体２の着色層２ｂと同色のカバー体６が、留め具３を被うため、バンド体２ならびに留め具３およびカバー体６を含めた結束具７として、見栄えがよい。そして、留め具本体４は、耐候性を有する合成樹脂（図示実施の形態においては、カーボンブラックを含有する合成樹脂）からなることから、カバー体６が太陽光により劣化しても、留め具本体４は、劣化しにくい。このため、バンド体２ならびに留め具３およびカバー体６を含めた結束具７として、太陽光による劣化に耐えることができる。すなわち、耐候性を有する留め具本体４を備える留め具３を、バンド体２の着色層２ｂと同色のカバー体６が被うことで、見栄えがよく、かつ、太陽光による劣化に耐えることができる。
【００３４】
また、カバー体６に設けられる通孔（図示実施の形態においては、ノックアウト部６ａを打ち抜くことで形成される通孔）から、そのカバー体６の内側にコーキング剤を充填すれば、留め具３とカバー体６とが、コーキング剤を介して一体化することができ、留め具３からのカバー体６の外れを的確に防止することができる。
【００３５】
なお、本発明は、上述した実施の形態に限定されるわけではなく、その他種々の変更が可能である。例えば、バンド体２において、着色層２ｂは、バンド本体２ａの一方の面２ｃと両方の側面２ｄ、２ｄのみを被っているが、バンド本体２ａの両方の面２ｃ、２ｅと両方の側面２ｄ、２ｄ、つまり全周を被うものであってもよい。
【００３６】
また、バンド本体２ａとか留め具本体４は、カーボンブラックを含有する合成樹脂からなるが、耐候性を有するのであれば、カーボンブラックを含有していなくてもよい。
【００３７】
また、バンド体２において、突出部２ｆは、両方の面に形成されているが、一方の面にのみ形成されてもよく、また、いずれの面にも形成されなくてもよい。
【００３８】
また、留め具３における二つの通し孔４ａ、４ａは、隔壁４ｂによって隔てられているが、隔壁４ｂを設けることなく、これら二つの通し孔４ａ、４ａが、連続する一つの大きな孔からなっていてもよい。
【００３９】
また、係止爪３ａは、留め具本体４とは別部品である爪部材５に設けられているが、この爪部材５を設けることなく、留め具本体４と一体となるように、係止爪３ａを設けてもよい。つまり、係止爪３ａは、留め具本体４と一体の合成樹脂からなってもよい。
【００４０】
また、バンド体２と留め具３とは、互いに分離した別部材からなるが、バンド体２の一端が留め具３から延び出るようにして一体に形成されてもよい。この場合、バンド体２は、前記一端とは反対の他端から通し孔４ａに通される。つまり、留め具３（詳しくは、留め具本体４）に設けられる通し孔４ａは、一つあればよい。
【００４１】
また、カバー体６には、ノックアウト部６ａが設けられているが、カバー体６の内側にコーキング剤を充填可能な通孔が、初めからあけられていてもよい。もっとも、このノックアウト部６ａや通孔は、必要なければ、なくてもよい。
【００４２】
また、バンド体２は、波付管１を結束するために用いられなくとも、平滑管とかケーブル等を結束するために用いられてもよい。さらに、バンド体２は、管材やケーブル等の長尺物を結束するために用いられなくとも、例えば、ボックス等をポール等に固定するために用いられてもよい。そして、バンド体２の着色層２ｂやカバー体６の色は、管材やポール等の色に合わせた色等、例えば、明るい色とすることもできる。
【符号の説明】
【００４３】
２  バンド体
２ａ  バンド本体
２ｂ  着色層
２ｃ  一方の面
２ｄ  側面
３  留め具
３ａ  係止爪
４  留め具本体
４ａ  通し孔
６  カバー体
６ａ  ノックアウト部
７  結束具
【図１】
2018044588.tif 000003
【図２】
2018044588.tif 000004
【図３】
2018044588.tif 000005
【図４】
2018044588.tif 000006
【図５】
2018044588.tif 000007
【図６】
2018044588.tif 000008
【図７】
2018044588.tif 000009
【図８】
2018044588.tif 000010